【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
エレベータ、好ましくは機械室なしのエレベータにおいて、巻上ロープの太さが８ mmより小さく、さらに／あるいはトラクションシーブの直径が320 mmより小さく、前記トラクションシーブと巻上ロープとの接触は、全体で、接触角180°を超えるエレベータ。
【請求項２】
請求項１に記載のエレベータにおいて、巻上機はトラクションシーブによって一連の巻上ロープとかみ合っていて、該一連の巻上ロープは実質的に円形の断面を有する巻上ロープから成り、前記エレベータでは前記一連の巻上ロープは、それぞれの走路を移動するカウンタウェイトおよびエレベータカーを支持し、前記実質的に円形の断面を有する巻上ロープの太さは８ mmより小さく、さらに／あるいは前記トラクションシーブの直径は320 mmより小さく、前記巻上ロープとトラクションシーブとの間の接触角は、180°より大きいことを特徴とするエレベータ。
【請求項３】
請求項１または２に記載のエレベータにおいて、前記トラクションシーブと巻上ロープとの間には、少なくとも180°の連続した接触角があることを特徴とするエレベータ。
【請求項４】
請求項１または２に記載のエレベータにおいて、前記トラクションシーブ上の接触角は、２つ以上の部分で構成されていることを特徴とするエレベータ。
【請求項５】
請求項１または２に記載のエレベータにおいて、前記トラクションシーブのローピングは、エクステンデッドラップローピングを用いて実施されることを特徴とするエレベータ。
【請求項６】
請求項１または２に記載のエレベータにおいて、前記トラクションシーブのローピングは、ダブルラップローピングを用いて実施されることを特徴とするエレベータ。
【請求項７】
請求項１または２に記載のエレベータにおいて、前記トラクションシーブのローピングは、ＸＷローピングを用いて実施されることを特徴とするエレベータ。
【請求項８】
請求項１または２に記載のエレベータにおいて、エレベータカーおよび／またはカウンタウェイトは２：１の懸垂比で懸垂されることを特徴とするエレベータ。
【請求項９】
請求項１または２に記載のエレベータにおいて、エレベータカーおよび／またはカウンタウェイトは１：１の懸垂比で懸垂されることを特徴とするエレベータ。
【請求項１０】
請求項１または２に記載のエレベータにおいて、エレベータカーおよび／またはカウンタウェイトは３：１の懸垂比で懸垂されることを特徴とするエレベータ。
【請求項１１】
請求項１または２に記載のエレベータにおいて、エレベータカーおよび／またはカウンタウェイトは４：１以上の懸垂比で懸垂されることを特徴とするエレベータ。
【請求項１２】
請求項１または２に記載のエレベータにおいて、カウンタウェイトはｎ：１の懸垂比で懸垂され、エレベータカーはｍ：１の懸垂比で懸垂され、ｍは１以上の整数であり、ｎはｍより大きい整数であることを特徴とするエレベータ。
【請求項１３】
請求項１または２に記載のエレベータにおいて、巻上ロープを構成するスチールワイヤのワイヤ太さの平均値は約0.5 mmであり、該スチールワイヤの強度は約2000 N/mm２より大きいことを特徴とするエレベータ。
【請求項１４】
請求項１または２に記載のエレベータにおいて、巻上ロープを構成するスチールワイヤのワイヤ太さの平均値は約0.1 mmより大きく、約0.4 mmより小さいことを特徴とするエレベータ。
【請求項１５】
請求項１または２に記載のエレベータにおいて、巻上ロープを構成するスチールワイヤのワイヤ太さの平均値は約0.15 mmより大きく、約0.3 mmより小さいことを特徴とするエレベータ。
【請求項１６】
請求項１または２に記載のエレベータにおいて、該エレベータは、他の先行する少なくとも２つの請求項によっても実施されることを特徴とするエレベータ。
【請求項１７】
請求項１ないし16のいずれかに記載のエレベータにおいて、巻上ロープを構成するスチールワイヤの強度は、約2300 N/mm２より大きく約2700 N/mm２より小さいことを特徴とするエレベータ。
【請求項１８】
請求項１ないし17のいずれかに記載のエレベータにおいて、該エレベータの巻上機の重量は、最高でも、該エレベータの公称負荷の重量の約1/5であることを特徴とするエレベータ。
【請求項１９】
請求項１ないし18のいずれかに記載のエレベータにおいて、該エレベータの巻上機によって運転されるトラクションシーブの外径は、最長で約250 mmであることを特徴とするエレベータ。
【請求項２０】
請求項１ないし19のいずれかに記載のエレベータにおいて、該エレベータの巻上機の重量は、最高でも、約100 kgであることを特徴とするエレベータ。
【請求項２１】
請求項１ないし20のいずれかに記載のエレベータにおいて、巻上機はギヤレス式であることを特徴とするエレベータ。
【請求項２２】
請求項１ないし21のいずれかに記載のエレベータにおいて、巻上機はギヤ式であることを特徴とするエレベータ。
【請求項２３】
請求項１ないし22のいずれかに記載のエレベータにおいて、過速調整器のロープは巻上ロープより直径が大きいことを特徴とするエレベータ。
【請求項２４】
請求項１ないし23のいずれかに記載のエレベータにおいて、過速調整器のロープは巻上ロープと直径が等しいことを特徴とするエレベータ。
【請求項２５】
請求項１ないし24のいずれかに記載のエレベータにおいて、エレベータ機械装置の重量は、最高でも公称負荷の約1/6であり、好ましくは最高でも公称負荷の約1/8であり、非常に好ましくは公称負荷の約1/10より小さいことを特徴とするエレベータ。
【請求項２６】
請求項１ないし25のいずれかに記載のエレベータにおいて、エレベータ機械装置およびその支持要素の総重量は、最高でも公称負荷の1/5であり、好ましくは最高でも公称負荷の約1/8であることを特徴とするエレベータ。
【請求項２７】
請求項１ないし26のいずれかに記載のエレベータにおいて、カーを支持するプーリの直径は、前記カーを支持する構体に含まれる水平な梁の高さ寸法以下であることを特徴とするエレベータ。
【請求項２８】
請求項１ないし27のいずれかに記載のエレベータにおいて、プーリは、少なくとも部分的に梁の内部に配置されていることを特徴とするエレベータ。
【請求項２９】
請求項１ないし28のいずれかに記載のエレベータにおいて、エレベータカーの走路はエレベータシャフト内にあることを特徴とするエレベータ。
【請求項３０】
請求項１ないし29のいずれかに記載のエレベータにおいて、巻上ロープ中の撚り糸および／またはワイヤの間のスペースの少なくとも一部は、ゴム、ウレタンまたはその他の実質的に非流動性の媒体によって充填されていることを特徴とするエレベータ。
【請求項３１】
請求項１ないし30のいずれかに記載のエレベータにおいて、巻上ロープは、ゴム、ウレタンまたはその他の非金属材料で作られた表面部を有することを特徴とするエレベータ。
【請求項３２】
請求項１ないし31のいずれかに記載のエレベータにおいて、巻上ロープはコーティングされていないことを特徴とするエレベータ。
【請求項３３】
請求項１ないし32のいずれかに記載のエレベータにおいて、トラクションシーブおよび／またはローププーリは、少なくともそれらの／その綱溝を非金属材料でコーティングされていることを特徴とするエレベータ。
【請求項３４】
請求項１ないし33のいずれかに記載のエレベータにおいて、トラクションシーブおよび／またはローププーリは、少なくとも、綱溝を含むリム部が非金属材料で作られていることを特徴とするエレベータ。
【請求項３５】
請求項１ないし34のいずれかに記載のエレベータにおいて、トラクションシーブはコーティングされていないことを特徴とするエレベータ。
【請求項３６】
請求項１ないし35のいずれかに記載のエレベータにおいて、カウンタウェイトおよびエレベータカーは両方とも転向プーリを用いて懸垂されていることを特徴とするエレベータ。
【請求項３７】
請求項１ないし36のいずれかに記載のエレベータにおいて、巻上ロープは、エレベータカーに設置された転向プーリによって、該エレベータカーの下、上または横を通過することを特徴とするエレベータ。
【請求項３８】
請求項１ないし37のいずれかに記載のエレベータにおいて、少なくともトラクションシーブおよび／またはローププーリは、巻上ロープと共同して材料ペアを形成し、該材料ペアによって前記巻上ロープは、トラクションシーブのコーティングが摩損した後にも、トラクションシーブおよび／またはローププーリにかみ合うことが可能であることを特徴とするエレベータ。
【請求項３９】
請求項１ないし38のいずれかに記載のエレベータにおいて、該エレベータは設置台を含み、該設置台に、トラクションシーブおよび少なくとも１つの転向プーリを有する巻上機が設置されていて、前記設置台によって前記転向プーリとトラクションシーブとの相対的な配置および距離が決定されることを特徴とするエレベータ。
【請求項４０】
請求項１ないし39のいずれかに記載のエレベータにおいて、少なくともエレベータの巻上機、トラクションシーブ、転向プーリおよび設置台は、既製のユニットとして取り付けられることを特徴とするエレベータ。